(57)【要約】【課題】  回動体を付勢するばねを取り付けるためのピンを省略できるとともに、ばねを容易に取り付けることができ、それにより、部品点数および組立工数の低減によって、製造コストを削減することができるピアノのアクションを提供する。【解決手段】  係合部１３ａを有する支持体１３と、係合部２１ａを有し、支持体１３に回動自在に支持され、鍵３の離鍵状態において離鍵位置に位置するとともに、鍵３の押鍵に伴って回動する回動体２１と、一端部が回動体２１の係合部２１ａに係合するとともに他端部が支持体１３の係合部１３ａに係合し、回動体２１を離鍵位置側に付勢するばね２５と、を備えている。【選択図】  図１
2006099004.tif 000002
【特許請求の範囲】
【請求項１】
係合部を有する支持体と、
係合部を有し、前記支持体に回動自在に支持され、鍵の離鍵状態において離鍵位置に位置するとともに、前記鍵の押鍵に伴って回動する回動体と、
一端部が当該回動体の前記係合部に係合するとともに他端部が前記支持体の前記係合部に係合し、前記回動体を前記離鍵位置側に付勢するばねと、
を備えていることを特徴とするピアノのアクション。
【請求項２】
前記ばねが板ばねで構成されていることを特徴とする、請求項１に記載のピアノのアクション。
【請求項３】
前記板ばねの一端部および他端部の少なくとも一方が、それに対応する前記回動体および前記支持体の前記係合部の少なくとも一方にきつく係合していることを特徴とする、請求項２に記載のピアノのアクション。
【請求項４】
当該ピアノはアップライトピアノであり、
前記回動体はダンパーのダンパーレバー、前記支持体は前記ダンパーレバーを支持するダンパーレバーフレンジであることを特徴とする、請求項２または３に記載のピアノのアクション。
【請求項５】
前記回動体の前記係合部は、前記ダンパーレバーに形成された係合凹部であり、前記支持体の前記係合部は、前記ダンパーレバーフレンジに形成された断面Ｖ字形の溝であり、
前記板ばねの一端部が前記ダンパーレバーの前記係合凹部にきつく係合し、他端部が前記溝に係合していることを特徴とする、請求項４に記載のピアノのアクション。
【請求項６】
当該ピアノはアップライトピアノであり、
前記回動体はハンマーのバット、前記支持体は前記バットを支持するバットフレンジであることを特徴とする、請求項２または３に記載のピアノのアクション。
【請求項７】
前記回動体の前記係合部は、前記バットに形成された係合凹部であり、前記支持体の前記係合部は、前記バットフレンジに設けられたバットフレンジコードであり、
前記板ばねの他端部にはフック部が形成され、
前記板ばねの一端部が前記バットの前記係合凹部にきつく係合し、前記フック部が前記バットフレンジコードに係合していることを特徴とする、請求項６に記載のピアノのアクション。
【発明の詳細な説明】
【技術分野】
【０００１】
本発明は、押鍵に伴って回動する回動体と、これを離鍵位置側に付勢するばねを有するピアノのアクションに関する。
【背景技術】
【０００２】
従来のこの種のピアノのアクションとして、特許文献１に開示されたものが知られている。このアクションは、押鍵に伴って回動するダンパーやハンマーのバットなどの回動体を備えており、これらの回動体には、これを離鍵位置側に付勢するためのばねが設けられている。例えば、回動体としてのダンパーは、上下方向に延びるダンパーレバーと、ダンパーレバーから上方に延びるダンパーワイヤと、その先端部に取り付けられたダンパーヘッドなどで構成されており、上下方向の中央部において、ダンパーレバーフレンジに回動自在に支持されている。
【０００３】
また、ダンパーを付勢するばねとしてのダンパーレバースプリングは、１本の線材で構成され、その途中の部分が、コイル状に巻かれた巻線部になっており、この巻線部から２つの線状部がＬ字状に延びている。一方、ダンパーレバーフレンジには、ダンパーレバースプリングの巻線部を収容する収容凹部が形成されており、収容凹部の左右の側壁には、ピン孔がそれぞれ形成されている。そして、ダンパーレバースプリングは、その巻線部をダンパーレバーフレンジの収容凹部に収容した状態で、ピンを左右のピン孔および巻線部の孔に通すとともに、ピン孔に固定することによって、ダンパーレバーフレンジに取り付けられる。この状態では、ダンパーレバースプリングの巻線部から延びる一方の線状部がダンパーレバーフレンジの上面に係合し、他方の線状部がダンパーレバーの前面に係合している。これにより、ダンパーは、ダンパーレバースプリングによって後方に付勢されており、離鍵状態では、その付勢力により、ダンパーヘッドが、ピアノの弦に押圧された状態で、これに当接している。
【０００４】
また、鍵が押鍵されると、スプーンがダンパーの下端部を後方に押圧することによって、ダンパーは、ダンパーレバースプリングの付勢力に抗しながら回動し、ダンパーヘッドが弦から離れることにより、弦の振動、すなわち発音が許容される。この状態から離鍵すると、スプーンによるダンパーレバーの押圧が解除され、ダンパーレバースプリングの付勢力により、ダンパーが逆方向に回動し、そのダンパーヘッドが弦に当接することによって、発音が停止される。
【０００５】
また、ハンマーのバットには、これを離鍵位置側に付勢するバットスプリングが設けられており、このバットスプリングは、前述したダンパーレバースプリングと同様、巻線部を有する１本の線材で構成され、バットの収容凹部に巻線部を収容した状態で、ピンを左右のピン孔に通すとともにピン孔に固定することによって、バットに取り付けられる。
【０００６】
しかし、これらのダンパーレバースプリングやバットスプリングは、線材にコイル状の巻線部を形成する必要があるので、作製するのに手間がかかる。また、これらのばねを取り付けるためにピンが必要である。さらに、ばねを取り付ける際に、ばねの巻線部をダンパーレバーフレンジなどの収容凹部に収容し、その状態で、巻線部の孔およびダンパーレバーフレンジなどのピン孔にピンを通し、さらにピンを固定するという作業が必要である。以上のように、部品点数や組立工数が多く、しかも、ばねを多数の鍵ごとに設けなければならないので、その分、製造コストがかなり増大してしまう。
【０００７】
本発明は、上記の課題を解決するためになされたものであり、回動体を付勢するばねを取り付けるためのピンを省略できるとともに、ばねを容易に取り付けることができ、それにより、部品点数および組立工数の低減によって、製造コストを削減することができるピアノのアクションを提供することを目的とする。
【０００８】
【特許文献１】特開平７−２７１３４８号公報
【発明の開示】
【課題を解決するための手段】
【０００９】
この目的を達成するために、請求項１に係るピアノのアクションは、係合部を有する支持体と、係合部を有し、支持体に回動自在に支持され、鍵の離鍵状態において離鍵位置に位置するとともに、鍵の押鍵に伴って回動する回動体と、一端部が回動体の係合部に係合するとともに他端部が支持体の係合部に係合し、回動体を離鍵位置側に付勢するばねと、を備えていることを特徴とする。
【００１０】
このピアノのアクションによれば、回動体が支持体に回動自在に支持されており、鍵の押鍵に伴って回動するとともに、離鍵後においては、ばねの付勢力によって、離鍵位置側に回動し、離鍵位置に復帰する。このばねは、その一端部において回動体の係合部に係合するとともに他端部において支持体の係合部に係合している。したがって、ばねの一端部を回動体の係合部に係合させ、他端部を支持体の係合部に係合させるだけで、ばねを容易に取り付けることができる。その結果、従来のばねと異なり、ばねに巻線部を形成することや、ばねを取り付けるためのピンや、ピンを用いたばねの煩雑な取付作業が不要になり、その分、部品点数および組立工数が大幅に低減されることによって、製造コストを削減することができる。
【００１１】
請求項２に係る発明は、請求項１に記載のピアノのアクションにおいて、ばねが板ばねで構成されていることを特徴とする。
【００１２】
この構成によれば、ばねが板ばねで構成されているので、線材で構成された従来のばねと異なり、一端部および他端部の少なくとも一方を固定するだけで、板ばねの撓み方向が定まり、それにより、回動体を所定の方向に付勢することができる。
【００１３】
請求項３に係る発明は、請求項２に記載のピアノのアクションにおいて、板ばねの一端部および他端部の少なくとも一方が、それに対応する回動体および支持体の係合部の少なくとも一方にきつく係合していることを特徴とする。
【００１４】
この構成によれば、板ばねの一端部および／または他端部が、回動体および／または支持体の係合部にきつく係合しているので、板ばねが係合部に対して回転したりずれたりすることなく固定されることによって、回動体を所定の方向に安定して付勢でき、したがって、回動体の円滑でかつ安定した回動を確保することができる。
【００１５】
請求項４に係る発明は、請求項２または３に記載のピアノのアクションにおいて、ピアノはアップライトピアノであり、回動体はダンパーのダンパーレバー、支持体はダンパーレバーを支持するダンパーレバーフレンジであることを特徴とする。
【００１６】
ダンパーは、離鍵時に弦に当接し、これを押圧することにより、弦の振動により発生した音を停止（止音）する役割を果たす。アップライトピアノでは、グランドピアノと異なり、弦が鉛直に張られており、ダンパーもまた、直立した状態で設けられているので、ダンパーの自重を、離鍵時に、弦を押圧する押圧力として利用することができないことから、この弦の押圧力を確保するために、ダンパーレバースプリング（ばね）が設けられている。本発明によれば、このダンパーレバースプリングとして板ばねを適用することによって、ダンパーにおいて、請求項１ないし３による前述した作用を得ることができる。
【００１７】
請求項５に係る発明は、請求項４に記載のピアノのアクションにおいて、回動体の係合部は、ダンパーレバーに形成された係合凹部であり、支持体の係合部は、ダンパーレバーフレンジに形成された断面Ｖ字形の溝であり、板ばねの一端部がダンパーレバーの係合凹部にきつく係合し、他端部が溝に係合していることを特徴とする。
【００１８】
この構成によれば、板ばねの一端部が、ダンパーレバーの係合凹部にきつく係合していることによって、これに固定されているので、ダンパーを所定の方向に安定して付勢でき、ダンパーの円滑でかつ安定した回動を確保することができる。また、板ばねの他端部は、ダンパーレバーフレンジの断面Ｖ字形の溝に係合しており、すなわち、板ばねの他端部の先端のみが溝の角部に当接している。このため、ダンパーの回動中においても、板ばねの他端部の表面または裏面が溝の底面に接触することがなく、したがって、この接触による板ばねの磨耗や損傷を防止することができる。
【００１９】
請求項６に係る発明は、請求項２または３に記載のピアノのアクションにおいて、ピアノはアップライトピアノであり、回動体はハンマーのバット、支持体はバットを支持するバットフレンジであることを特徴とする。
【００２０】
アップライトピアノでは、グランドピアノと異なり、ハンマーは、ほぼ直立した状態で設けられているので、自重によって復帰するのが困難であることから、ハンマーを離鍵位置に復帰させるために、バットスプリング（ばね）が設けられている。本発明では、このバットスプリングとして板ばねを適用することによって、ハンマーにおいて、請求項１ないし３による前述した作用を得ることができる。
【００２１】
請求項７に係る発明は、請求項６に記載のピアノのアクションにおいて、回動体の係合部は、バットに形成された係合凹部であり、支持体の係合部は、バットフレンジに設けられたバットフレンジコードであり、板ばねの他端部にはフック部が形成され、板ばねの一端部がバットの係合凹部にきつく係合し、フック部がバットフレンジコードに係合していることを特徴とする。
【００２２】
この構成によれば、板ばねの一端部が、バットの係合凹部にきつく係合していることによって、これに固定されているので、ハンマーを所定の方向に安定して付勢でき、ハンマーの円滑でかつ安定した回動を確保することができる。また、板ばねの他端部については、そのフック部をバットフレンジのバットフレンジコードに係合させる（引っ掛ける）だけで、容易に取り付けることができる。また、バットフレンジコードを設けた通常のバットフレンジを、その構成を変更することなく、そのまま利用することができる。
【発明を実施するための最良の形態】
【００２３】
以下、本発明の好ましい実施形態を、図面を参照しながら、詳細に説明する。図１は、アップライトピアノのアクション１および鍵盤２などを、離鍵状態において示している。鍵盤２は、左右方向（図１の奥行方向）に並んだ多数の鍵３（１つのみ図示）によって構成されており、各鍵３は、前後方向（図１の左右方向）のほぼ中央において、筬４に揺動自在に支持されている。
【００２４】
アクション１は、鍵盤２の後端部の上方において、筬４の左右端部にそれぞれ設けたブラケット（図示せず）に取り付けられ、両ブラケットの間に延びるように設けられている。アクション１は、ダンパー５、ハンマー６、ウィッペン７およびジャック８などを有しており、これらは、鍵３ごとに設けられている（いずれも１つのみ図示）。左右のブラケットの間には、センターレール１１およびハンマーレール１２などが渡されており、センターレール１１に鍵３ごとにねじ止めされたダンパーレバーフレンジ１３（支持体）およびバットフレンジ１４（支持体）に、ダンパー５およびハンマー６が、それぞれ回動自在に支持されている。また、各ダンパーレバーフレンジ１３およびバットフレンジ１４は、センターレール１１からそれぞれ、後方および上方に延びている。
【００２５】
ダンパー５は、例えば合成樹脂で構成され、上下方向に延びるダンパーレバー２１（回動体）と、ダンパーレバー２１から上方に延びるダンパーワイヤ２２の先端部に取り付けられたダンパーヘッド２３と、ダンパーレバー２１の前面下端部に貼り付けられたダンパーレバークロス２４などで構成されている。ダンパーレバー２１は、その上下方向の中央において、上述したダンパーレバーフレンジ１３の後端部に回動自在に支持されている。ダンパーレバー２１の上端部は、前方に若干突出しており、その突出部分の下面には、断面矩形の係合凹部２１ａ（係合部）が斜めに形成されている。一方、ダンパーレバーフレンジ１３の上面には、係合凹部２１ａに対向する位置に、左右方向に延びる断面Ｖ字形の溝１３ａ（係合部）が形成されている。
【００２６】
これらの係合凹部２１ａおよび溝１３ａには、ダンパーレバースプリング２５（板ばね）が取り付けられている。ダンパーレバースプリング２５は、金属製（例えば鉄製）の細長い板ばねで構成されており、図２および図３に示すように、その上端部（一端部）は係合凹部２１ａにきつく係合し、下端部（他端部）は、その先端が溝１３ａの角部に当接した状態で、溝１３ａに係合している。この状態では、ダンパーレバースプリング２５は、前側に凸に撓んだ状態になっており、ダンパーレバー２１を後方に付勢している。この付勢力によって、ダンパーヘッド２３が、その後方に鉛直に張られた弦Ｓに押圧された状態で、これに当接している。この状態におけるダンパーレバー２１の位置が、その離鍵位置である。
【００２７】
ハンマー６は、例えば合成樹脂で構成されたバット３１（回動体）と、バット３１から上方に延びるハンマーシャンク３２と、ハンマーシャンク３２の上端部に取り付けられたハンマーヘッド３３などで構成されている。バット３１は、その下端部において、前述したバットフレンジ１４から上方に突出する左右の支持部１４ｂ，１４ｂの間に、回動自在に支持されている（図４参照）。また、バット３１の前面にはキャッチャー３４が、下面にはバットスキン３５が、それぞれ取り付けられている。図１に示す離鍵状態では、ハンマーシャンク３２はハンマーレール１２の背面に当接し、ハンマーヘッド３３は弦Ｓに対向している。バット３１の上部は、後方に若干、突出しており、この突出部分の下面には、断面矩形の係合凹部３１ａ（係合部）が斜めに形成されている。また、バットフレンジ１４の支持部１４ｂ，１４ｂの前面には、バットフレンジコード１４ａ（係合部）が取り付けられている。
【００２８】
これらのバット３１の係合凹部３１ａとバットフレンジ１４のバットフレンジコード１４ａとの間には、バットスプリング３６（板ばね）が取り付けられている。バットスプリング３６は、金属製の板ばねで構成されており、一方の端部には、円弧状のフック部３６ａが形成されている。そして、図４および図５に示すように、バットスプリング３６の一端部がバット３１の係合凹部３１ａにきつく係合し、フック部３６ａがバットフレンジコード１４ａに引っ掛かった状態で係合している。この状態では、バットスプリング３６は、後ろ側に凸に撓んだ状態になっており、それにより、バット３１を前方に付勢していて、ハンマー６のハンマーシャンク３２が、ハンマーレール１２に当接している。この状態におけるバット３１の位置が、その離鍵位置である。
【００２９】
ウィッペン７は、前後方向に延びており、その前部から下方に延びるヒール部７ａを有していて、対応する鍵３の上面後端部に設けられたキャプスタンボタン３ａに、ヒール部７ａを介して載置されている。また、ウィッペン７は、その後端部において、ウィッペンフレンジ１５に回動自在に支持されており、このウィッペンフレンジ１５は、前述したセンターレール１１にねじ止めされている。ウィッペン７の上面前端部には、バックチェックワイヤ４１を介してバックチェック４２が取り付けられており、バックチェック４２は、上述したキャッチャー３４の前方に位置し、これに対向している。また、ウィッペン７の上面後端部には、ウィッペンフレンジ１５よりも後ろ側に、ダンパー５を駆動するためのスプーン４３が立設されている。
【００３０】
ジャック８は、Ｌ字形に形成されており、前後方向に延びる基部８ａと、基部８ａの後端部から上方に延びるハンマー突上げ部８ｂを有している。また、ジャック８は、その基部８ａとハンマー突上げ部８ｂとの角部において、ウィッペン７のバックチェックワイヤ４１よりも後方の位置に回動自在に取り付けられている。また、ウィッペン７と基部８ａの間には、コイルばねで構成されたジャックスプリング５１が設けられている。ジャック８の基部８ａの上方には、レギュレティングボタン５２が設けられている。このレギュレティングボタン５２は、センターレール１１に設けられたレギュレティングブラケット５３と、その前端部に取り付けられ、左右方向に延びるレギュレティングレール５４を介して、鍵３ごとに設けられている。
【００３１】
以下、上述したアクション１の動作について説明する。離鍵状態から鍵３が押鍵されると、鍵３は、図１の時計方向に回動し、その後端部に載置されたウィッペン７は、鍵３によって突き上げられることにより、上方（反時計方向）に回動する。このウィッペン７の回動に伴い、ジャック８がウィッペン７と一緒に上方に移動し、そのハンマー突上げ部８ｂでハンマー６のバット３１を突き上げることによって、ハンマー６が、バットスプリング３６の付勢力に抗しながら、後方の弦Ｓに向かって反時計方向に回動する。
【００３２】
ウィッペン７が所定の角度、回動したときに、ジャック８の基部８ａがレギュレティングボタン５２に当接する。ウィッペン７がさらに回動するのに伴い、ジャック８は、上方への移動がレギュレティングボタン５２によって規制されることにより、ウィッペン７に対して時計方向に回動し、それにより、ハンマー突上げ部８ｂがバット３１から前方に外れ、ハンマー６から離脱する。
【００３３】
一方、ハンマー６は、ジャック８の離脱後においても、慣性によって回動し続け、弦Ｓを打弦し、これを振動させることによって、演奏音を発生させる。その後、ハンマー６は、バットスプリング３６の付勢力によって、時計方向に復帰回動し、キャッチャー３４がバックチェック４２に当接することにより、一旦、停止する。
【００３４】
また、ウィッペン７の回動に伴い、ダンパーレバー２１がスプーン４３により後方に押圧されることによって、ダンパー５は、ダンパーレバースプリング２５の付勢力に抗して、時計方向に回動する。このダンパー５の回動により、ダンパーヘッド２３が弦Ｓから離れ、その直後、ハンマー６による弦Ｓの打弦が行われる。
【００３５】
鍵３が離鍵されると、鍵３およびウィッペン７は、押鍵時とは逆方向にそれぞれ回動する。ジャック８は、鍵３およびウィッペン７よりも早く離鍵状態に復帰する。また、ウィッペン７の復帰に伴い、バックチェック４２がキャッチャー３４から離れることにより、ハンマー６が、バットスプリング３６の付勢によって時計方向に回動し、それにより、ハンマーシャンク３２がハンマーレール１２に当接するとともに、バット３１がジャック８のハンマー突上げ部８ｂに係合し、ハンマー６が離鍵状態に復帰する。また、スプーン４３がダンパー５から離れることによって、ダンパー５は、ダンパーレバースプリング２５の付勢力によって反時計方向に回動し、離鍵状態に復帰する。
【００３６】
以上のように、本実施形態のアップライトピアノのアクション１によれば、ダンパーレバースプリング２５が板ばねで構成されており、その上端部および下端部を、ダンパーレバー２１の係合凹部２１ａおよびダンパーレバーフレンジ１３の溝１３ａにそれぞれ係合させるだけで、ダンパーレバースプリング２５を容易に取り付けることができる。また、バットスプリング３６も板ばねで構成されており、その一端部およびフック部３６ａを、バット３１の係合凹部３１ａおよびバットフレンジ１４のバットフレンジコード１４ａにそれぞれ係合させるだけで、容易に取り付けることができる。
【００３７】
また、スプリング２５，３６がともに板ばねで構成されるとともに、それらの一端部が係合凹部２１ａ，３１ａにそれぞれきつく係合することにより、固定されているので、それにより、スプリング２５，３６の撓み方向が定まり、ダンパーレバー２１およびバット３１を、それぞれの所定の方向に安定して付勢でき、したがって、ダンパー５およびハンマー６の円滑でかつ安定した回動を確保することができる。その結果、従来と異なり、ばねに巻線部を形成することや、ばねを取り付けるためのピンや、ピンを用いたばねの煩雑な取付作業が不要になり、その分、部品点数および組立工数が大幅に低減されることによって、製造コストを削減することができる。
【００３８】
また、ダンパーレバースプリング２５は、その下端のみがダンパーレバーフレンジ１３の断面Ｖ字形の溝１３ａの角部に当接しているため、ダンパー５の回動中においても、ダンパーレバースプリング２５の下端部の前面が溝１３ａの底面に接触することがなく、したがって、この接触によるダンパーレバースプリング２５の磨耗や損傷を防止することができる。また、バットフレンジコード１４ａを設けた通常のバットフレンジ１４を、構成を変更することなく、そのまま利用することができるので、その分、製造コストを抑えることができる。
【００３９】
なお、実施形態では、本発明を、ダンパー５のダンパーレバー２１およびハンマー６のバット３１に適用しているが、ばねによって付勢されるアクション１の他の回動体、例えばジャック８などに適用してもよい。また、実施形態の断面Ｖ字形の溝１３ａに代えて、ダンパーレバーフレンジ１３に断面矩形の係合凹部を形成し、ダンパーレバースプリング２５の下端部を、緩く係合させるようにしてもよい。さらに、実施形態とは逆に、係合凹部をダンパーレバーフレンジ１３側に、断面Ｖ字形の溝をダンパーレバー２１側に形成してもよい。
【００４０】
また、実施形態では、合成樹脂で構成されるダンパーレバー２１およびバット３１の係合凹部２１ａ，３１ａに、ダンパーレバースプリング２５およびバットスプリング３６を後付けで取り付けているが、これらのスプリング２５，３６をインサート成形によって取り付けてもよい。さらに、実施形態では、ばねとして板ばねを用いているが、板ばね以外の適当なばね、例えばコイルばねなどを用いてもよい。また、実施形態は、本発明をアップライトピアノに適用した例であるが、これに限らず、グランドピアノなど、他の鍵盤楽器に適用してもよい。その他、本発明の趣旨の範囲内で、細部の構成を適宜、変更することが可能である。
【図面の簡単な説明】
【００４１】
【図１】本発明の実施形態によるアップライトピアノのアクションを示す側面図である。
【図２】ダンパーの部分正面図である。
【図３】ダンパーを離鍵状態において示す部分破断側面図である。
【図４】ハンマーの部分背面図である。
【図５】ハンマーを離鍵状態において示す部分破断側面図である。
【符号の説明】
【００４２】
１    アクション
３    鍵
５    ダンパー
６    ハンマー
１３    ダンパーレバーフレンジ（支持体）
１３ａ  溝（係合部）
１４    バットフレンジ（支持体）
１４ａ  バットフレンジコード（係合部）
２１    ダンパーレバー（回動体）
２１ａ  係合凹部（係合部）
２５    ダンパーレバースプリング（板ばね）
３１    バット（回動体）
３１ａ  係合凹部（係合部）
３６    バットスプリング（板ばね）
３６ａ  フック部
【図１】
2006099004.tif 000003
【図２】
2006099004.tif 000004
【図３】
2006099004.tif 000005
【図４】
2006099004.tif 000006
【図５】
2006099004.tif 000007